(57)【要約】【課題】浴室装置の入口を設置する壁面全体を外方に突設することにより浴室空間の拡大を図り、快適な浴室空間を提供することを目的とする。【解決手段】浴槽に対向する壁面に出入り口部６を設け、前記出入り口部６は壁面全体に対応する外枠７と、外枠７の一部を閉塞する固定パネル８と、収納部９と、ドア１０を備え、前記外枠７は洗い場外縁１１より外方に突出し、前記突出寸法は浴室と隣接する脱衣室との仕切り壁の厚さと略等しく、前記収納部９は前記固定パネル８に内接して設置することにより、浴室空間の拡大と収納スペースを確保することにより、快適で使い勝手の良い浴室装置を提供する。【選択図】図１
2005240356.tif 000002
【特許請求の範囲】
【請求項１】
浴槽に対向する壁面に出入り口部を設け、前記出入り口部は壁面全体に対応する外枠と、外枠の一部を閉塞する固定パネルと、収納部と、ドアを備え、前記外枠は洗い場外縁より外方に突出し、前記突出寸法は浴室と隣接する脱衣室との仕切り壁の厚さと略等しく、前記収納部は前記固定パネルに内接して設置した浴室装置。
【請求項２】
固定パネルは少なくとも一部が透光性を備えた請求項１に記載の浴室装置。
【請求項３】
ドアは引き戸とし外枠の外方側に配置した請求項１または２に記載の浴室装置。
【請求項４】
収納部は固定パネルの１／２以下の高さとする請求項１〜３のいずれか１項に記載の浴室装置。
【請求項５】
収納部は前記の外枠と中央の縦枠の横方向に設けた横桟及び下枠の間に設置され、上下方向はねじ固定、左右方向は挿入金具にて固定する請求項１〜４のいずれか１項に記載の浴室装置。
【請求項６】
収納部は上部に着脱自在な平面部を有したカウンターを備えた請求項１〜５のいずれか１項に記載の浴室装置。
【請求項７】
外枠下部の洗い場外縁に接する箇所に着脱自在な目皿を備えた請求項１〜６のいずれか１項に記載の浴室装置。
【請求項８】
目皿は長手方向に２分割可能とした請求項７に記載の浴室装置。
【請求項９】
目皿は洗い場の端部の排水溝を隠蔽する先端部を備えた請求項７または８に記載の浴室装置。
【発明の詳細な説明】
【技術分野】
【０００１】
本発明は浴室ユニットの出入り口部の構造に関するものである。
【背景技術】
【０００２】
従来、この種の浴室装置は、出入り口部の壁面は収納機能を備えた袖壁とドア額縁に設置したドアの２つの主要部材で構成している（例えば、特許文献１参照）。
【０００３】
図７は、特開文献１に記載された従来の浴室装置を示すものである。図７に示すように、浴室１の出入口部の壁面は収納部２を備えた袖壁３と、ドア枠４に開閉自在に取付けられたドア５から構成されている。
【特許文献１】特開２００３−２１３８１９号公報
【発明の開示】
【発明が解決しようとする課題】
【０００４】
しかしながら、前記従来の構成では、袖壁とドアが別部材で構成されており、またそれらの部材は外方への空間拡大を意図したものでないので、施工に手間がかかり、かつ浴室空間の快適性の向上が図れないという課題を有していた。
【０００５】
本発明は、前記従来の課題を解決するもので、浴室装置の入口を設置する壁面全体を外方に突設することにより浴室空間の拡大を図り、快適な浴室空間を提供するとともに施工性の向上図ることを目的とする。
【課題を解決するための手段】
【０００６】
前記従来の課題を解決するために、本発明の浴室装置は、浴槽に対向する壁面に出入り口部を設け、前記出入り口部は壁面全体に対応する外枠と、外枠の一部を閉塞する固定パネルと、収納部と、ドアを備え、前記外枠は洗い場外縁より外方に突出し、前記突出寸法は浴室と隣接する脱衣室との仕切り壁の厚さと略等しく、前記収納部は前記固定パネルに内接して設置したものである。
【０００７】
これによって、出入り口部を配置する壁面は、仕切り壁の厚さ分だけ外方に突出し、浴室空間を拡張することができ、その一部に収納部を設置することができる。
【発明の効果】
【０００８】
本発明の浴室装置は、快適で使い勝手が良く、しかも施工性の良い浴室空間を提供することができる。
【発明を実施するための最良の形態】
【０００９】
第１の発明は浴槽に対向する壁面に出入り口部を設け、前記出入り口部は壁面全体に対応する外枠と、外枠の一部を閉塞する固定パネルと、収納部と、ドアを備え、前記外枠は洗い場外縁より外方に突出し、前記突出寸法は浴室と隣接する脱衣室との仕切り壁の厚さと略等しく、前記収納部は前記固定パネルに内接して設置することにより、出入り口部を配置する壁面は、仕切り壁の厚さ分だけ外方に突出し、浴室空間を拡張することができ、その一部に収納部を設置することができることとなり快適で使い勝手の良い浴室空間を提供することができる。
【００１０】
第２の発明は、特に、第１の発明の固定パネルの少なくとも一部が透光性を備えることにより、浴室と脱衣室の照明を固定パネルを介して相互に見ることができることとなり浴室、脱衣室とも開放感を感じることができ、より快適な空間とすることができる。
【００１１】
第３の発明は、特に第１または第２の発明のドアを引き戸とし外枠の外方側に配置することにより、壁面の略半分を出入り口として使用することができ、幅の広い出入り口を確保することができることとなり出入りのしやすい使い勝手の良い浴室とすることができる。
【００１２】
第４の発明は、特に第１〜３のいずれか１つの発明の収納部を固定パネルの１／２以下の高さとすることにより、固定パネルの上部１／２以上は外方に突出した状態で、しかも下部に収納部を配置できることとなり浴室空間の拡張による快適性に加え収納部による使い勝手の向上を提供することができる。
【００１３】
第５の発明は、特に第１〜４のいずれか１つの発明の収納部を上下方向はねじ固定、左右方向は挿入金具にて、外枠と中央の縦枠の横方向に設けた横桟及び下枠の間に固定する構成を備えることにより、収納部の施工性の向上および組み立て時の外観性を提供することができる。
【００１４】
第６の発明は、特に第１〜５のいずれか１つの発明の収納部の上面に平面部を有した着脱自在なカウンターを備えることにより、収納スペースの拡大、外観性の向上、掃除の容易さなどの使い勝手の向上を提供することができる。
【００１５】
第７の発明は、特に第１〜６のいずれか１つの発明の外枠下部の洗い場外縁に接する箇所に着脱自在な目皿を備えることにより、例えば洗い場と同系色にすればより空間部が拡大一体化する効果を、また、通常使用時には目皿にて下枠部が隠蔽され外観性の向上を提供することができる。
【００１６】
第８の発明は、特に第７の発明の外枠下部の洗い場外縁に接する箇所に着脱自在な長手方向に２分割された目皿を備えることにより、目皿を外して清掃する場合に利便性の向上を提供することができる。
【００１７】
第９の発明は、特に第７または第８の発明の外枠下部の目皿の洗い場側先端部が洗い場の排水溝を隠蔽する長さまで備えられことにより、使用時に洗い場の排水溝が分かりにくくなら外観性が向上するとともに、ユニットへの入退室時に足の指が洗い場排水溝にはまりこむ危険も防止でき安全性の向上をも提供することができる。
【００１８】
以下、本発明の実施の実態について、図面を参照しながら説明する。なお、この実施の形態によって本発明が限定されるものではない。
【００１９】
（実施の形態１）
図１は、本発明の第１の実施の形態における浴室装置の平面図を示すものである。
【００２０】
図１において、浴槽に対向する壁面に出入り口部６を配置し、前記出入り口部６は壁面全体に対応する外枠７を設置し、外枠７は略中央部に配設した中央の縦枠（以降方立と称する）７ｂにより２つのエリアに分割し、一方のエリアは固定パネル８で閉塞し、固定パネル８の内側には収納部９を当接して配置してある。
【００２１】
他方のエリアは出入り口１２とし、出入り口１２にはスライド自在の引き戸タイプのドア１０を外枠７の外方側に配置、固定パネル８の外方にドア１０が収納される構成としている。
【００２２】
前記外枠７は洗い場外縁１１より外方に突出し、前記突出寸法は浴室と隣接する脱衣室との仕切り壁の厚さと略等しい構成としている。
【００２３】
以上のように出入り口部６は浴室と隣接する脱衣室との仕切り壁の厚さと略等しい寸法で洗い場外縁１１より外方に突出し、浴室空間を拡張することができるとともにその一部に収納部をも有することができ、またドア１０を外枠の外方側に配置する引き戸とすることにより、出入口り部６の略半分を出入り口として使用することができ、幅の広い出入り口ほ確保することができることとなり出入りのしやすい使い勝手の良い浴室とすることができる。
【００２４】
（実施の形態２）
図２は本発明の第２の実施の形態における浴室装置の出入り口部６の正面図を示すものである。
【００２５】
図２において、出入り口部６縦枠７ａと方立７ｂ間に設けられた固定パネル８の上部パネル８ａは、透光性を備えた材質（例えばスチロール、アクリル等）で構成されている。
【００２６】
上部パネル８ａを透光性を備えた材質にすることにより、浴室と脱衣室の照明を上部パネル８ａを介して相互に見ることができることとなり浴室、脱衣室とも開放感を感じることができ、より快適な空間とすることができる。
【００２７】
（実施の形態３）
図２において、出入り口部６には、固定パネル８、収納部９、ドア１０が備えられ収納部９は固定パネル８の高さの１／２以下の高さで構成している。
【００２８】
以上のように、本実施の形態においては出入り口部６の収納部９を固定パネルの１／２以下の高さとすることにより、固定パネルの上部１／２以上は外方に突出した状態で、しかも下部に収納部を配置できることとなり浴室空間の拡張による快適性に加え収納部による使い勝手の向上を可能とする。
【００２９】
（実施の形態４）
図３、４、５は本発明の第４の実施の形態における収納部９の部分斜視図と断面図を示すものである。
【００３０】
図３、４、５において、１３は挿入金具で外枠縦桟７ａに、１４は受け部材で固定金具１５により外枠の方立７ｂに取り付けられる。１６は横桟で外枠縦桟７ａと方立７ｂを横方向に上下２ヶ所連結しており、各々に固定穴を設けている。収納部９は、上下方向は外枠の上下に設けられた横桟１６とねじ固定で、左右方向は外枠縦桟７ａの挿入金具１３と、方立７ｂの受け部材１４に収納部９側面を挿入することにより固定が可能となり、収納部の施工性の向上および左右に固定ねじ等が露出せず、より向上した組み立て時の外観性を提供することができる。
【００３１】
（実施の形態５）
図６は本発明の第５の実施の形態における収納部９部の斜視図を示すものである。
【００３２】
図６において、１７はカウンターで収納部９の上面に設置される。カウンター１７の裏面にはマジックテープの一方である接合Ａ部材１７ａが、収納部９の上面９ａには前記のカウンター１７の接合Ａ部材１７ａに対向した位置関係でマジックテープの他方である接合Ｂ部材９ｂを備えた構成としている。
【００３３】
収納部９の上面９ａに設けられた接合Ｂ部材９ｂに、カウンター１７の接合Ａ部材１７ａを接合させればカウンター１７は収納部上部９ａに固定できる。この場合、接合手段はマジックテープであるため容易に着脱を行なえる。カウンター１７の装着により、収納部９の上部に所定寸法の載置スペースが確保できるとともに、前述の固定ねじの隠蔽も可能となり、収納スペースの拡大、外観性の向上、掃除の容易さなどの使い勝手の向上を達成できる。
【００３４】
（実施の形態６）
図１は本発明の第６の実施の形態における浴室装置の平面図、図７は出入口１２の下部の部分断面図を示すものである。
【００３５】
図１、６において、１８は目皿で外枠７の下部の洗い場外縁に接する箇所に着脱自在に設置され、洗い場表面と同系色の色で構成されている。また、目皿１８の浴室内側の先端部１８ａは下枠より突出し、洗い場１９の排水溝１９ａに対向した位置となるよう構成されている。
【００３６】
上記構成により外枠の下枠部が隠蔽され外観性が向上し、掃除の際の手間も省け、目皿１８は洗い場と同系色であるため、洗い場との一体感が高まり、入浴時に浴室内部から見た場合、排水溝１９ａが略半分以上隠蔽され外観性が向上するとともに、浴室への入退室時に足の指が洗い場排水溝にはまりこむ危険も防止でき安全性の向上をも提供することができる。
【産業上の利用可能性】
【００３７】
以上のように、本発明にかかる浴室装置は、浴室空間の拡大により快適で使い勝手の良い浴室空間を提供することが可能となるので、洗面やシャワーの空間ユニットなどの用途にも適用できる。
【図面の簡単な説明】
【００３８】
【図１】本発明の浴室装置全体の平面図
【図２】本発明の浴室装置の出入り口部を示す正面図
【図３】本発明の実施の形態４における浴室装置の収納部の部分斜視図
【図４】本発明の実施の形態４における浴室装置の収納部の部分斜視図
【図５】本発明の実施の形態４における浴室装置の収納部の横断面図
【図６】本発明の実施の形態５における浴室装置の収納部の部分斜視図
【図７】本発明の実施の形態６における浴室装置の出入口の下部の縦断面図
【図８】従来の浴室装置を示す平面図
【符号の説明】
【００３９】
６  出入り口部
７  外枠
７ｂ  中央の縦枠
８  固定パネル
９  収納部
１１  洗い場外縁
１０  ドア
１６  横桟
１７  カウンター
１８  目皿
１８ａ  先端部
１９  洗い場
１９ａ  排水溝
【図１】
2005240356.tif 000003
【図２】
2005240356.tif 000004
【図３】
2005240356.tif 000005
【図４】
2005240356.tif 000006
【図５】
2005240356.tif 000007
【図６】
2005240356.tif 000008
【図７】
2005240356.tif 000009
【図８】
2005240356.tif 000010